(57)【特許請求の範囲】
【請求項１】
照明スポット（２）を形成する手術用照明装置であって、
複数の照明装置（１）を有する照明ドーム（５）を備え、
各照明装置（１）が、
切頂キャップを備えた中実な光学コリメータ（６’）を含み、
キャップは、全内部反射で動作する内面（１０’）を有し、
前記キャップと同軸である円錐台状の貫通凹部（７’）の中に開放しており、その中央に光源（８’）が配置される小型台（１１’）を有し、
屈折性の大型台（１２’）であって、前記光源（８’）によって放射された入射光が前記内面（１０’）によって前記キャップの前記大型台（１２’）に向けて全体として案内されるようにした大型台（１２’）を有し、
前記コリメータ（６’）の前記凹部は、前記キャップの前記小型台と一致する、開放した小型台を有するように、前記キャップ内に配置されており、
前記コリメータ（６’）は、前記光源（８’）からの光束を、前記照明ドーム（５）の照明軸（ＡＡ）を中心とする前記照明スポット（２）に集中させるように配向している、手術用照明装置。
【請求項２】
前記コリメータ（６’）の前記凹部は、前記キャップの前記大型台の中に開放していることを特徴とする請求項１記載の手術用照明装置。
【請求項３】
前記凹部は、前記キャップの前記小型台と一致する、開放した小型台を有する円錐台状の第１凹部（７’）と、前記第１凹部の下方にある第２同軸凹部とを含み、２つの凹部間において、環状の肩部（１４’）が前記入射光のためのスクリーン（１３’）を支えていることを特徴とする請求項２記載の手術用照明装置。
【請求項４】
前記スクリーン（１３’）は、光源（８’）により近い側で吸収性であることを特徴とする請求項３記載の手術用照明装置。
【請求項５】
前記スクリーン（１３’）は、光源（８’）により近い側で拡散性であることを特徴とする請求項３記載の手術用照明装置。
【請求項６】
前記スクリーン（１３’）は、前記肩部（１４’）に接着接合していることを特徴とする請求項３〜５のいずれかに記載の手術用照明装置。
【請求項７】
前記肩部（１４’）は、前記キャップの軸に対して垂直な平らな表面を形成することを特徴とする請求項３記載の手術用照明装置。
【請求項８】
前記コリメータ（６’）は剛性であることを特徴とする請求項１〜７のいずれかに記載の手術用照明装置。
【請求項９】
前記コリメータ（６’）は射出成形プラスチックで製作されることを特徴とする請求項１〜８のいずれかに記載の手術用照明装置。
【請求項１０】
前記コリメータ（６’）はＰＭＭＡで製作されることを特徴とする請求項１〜９のいずれかに記載の手術用照明装置。
【請求項１１】
コリメータの支持体が、前記入射光のための前記スクリーン（１３’）を固定するための手段を含むことを特徴とする請求項３記載の手術用照明装置。
【請求項１２】
前記光源（８’）はＬＥＤであることを特徴とする請求項１〜１１のいずれかに記載の手術用照明装置
【発明の詳細な説明】
【技術分野】
【０００１】
本発明は、切頂(truncated)キャップを備えた中実な光学コリメータに関するものであり、キャップは、全内部反射で動作する内面を有し、キャップと同軸である円錐台状の貫通凹部の中に開放しており、その中央に光源が配置される小型台(base)を有し、屈折性の大型台であって、光源によって放射された入射光が内面によってキャップの大型台に向けて全体として案内されるようにした大型台を有する。
【０００２】
本発明はまた、こうした光学コリメータを含む照明装置、特に医療手術野を照明するために使用される手術用照明装置に関する。
【背景技術】
【０００３】
既知の方法では、医療手術野を照明するための照明装置において、１つ以上の光学系が、光源によって放射された光を手術野上で集束させ、特に、より大きいまたはより小さいサイズの照明スポットを形成するように照明ドームの中に設けられる。
【０００４】
この光学系は、一般に、全内部反射で動作する内面を有する切頂キャップの形態である中実の標準コリメータであり、キャップは、キャップと同軸である円錐台状の凹部を有し、切頂コーンの大型台は、開放しており、キャップの小型台と一致している。光源は、キャップの先端のレベルで、切頂コーンの開口の上方に配置される。キャップと同軸であるレンズが、光ビームを手術野に向けて反射するように、切頂コーンの下方に配置される。
【０００５】
現在、例えば、小さな切開が形成される身体のゾーンを照明するために、数センチメートルのオーダーの小さい照明スポットを提供できる手術用照明を有するための医学界からの要求がある。光源として、上述したような標準コリメータおよび所定の発光ダイオード（ＬＥＤ）を用いて、大きい照明スポットを与える標準コリメータに対して小さい照明スポットを形成するために、標準コリメータの高さおよび直径を増加させる必要があることが知られている。従って、「小さい照明スポット」標準コリメータは、「大きい照明スポット」標準コリメータよりかなり嵩張る。手術用照明装置の製造者は、医療スタッフが手術野の上方で操作するのをより容易にするために、照明ドームの体積および重量を低減するように努力している。「小さい照明スポット」標準コリメータによってもたらされる追加の体積および重量は、可能な限りスリムかつ軽量である照明ドームのための要求に適合しない。
【０００６】
さらに、上述したような中実の標準コリメータは、射出成形されたプラスチックで製作される。射出成形プラスチックで製作された部品のコストは、その厚さに密接に関連しており、その理由は、その厚さが射出成形時間に影響するためである。こうして「小さい照明スポット」標準コリメータは、「大きい照明スポット」標準コリメータの高さより大きい高さを有するため、その製造時間が長くなり、その製造コストが増加する。
【０００７】
最後に、標準コリメータでは、ＬＥＤの近傍において、フレネル反射損失によってコーンで反射した光線はレンズを通過して、役に立たない光学経路を取り、医療スタッフにとって不快である干渉ハロー(halo)を手術野に生成することが知られている。
【０００８】
種々の文献から、中実の標準コリメータと比べて変更したコリメータを有する照明装置が知られているが、こうしたコリメータは、小さい照明スポットのための要求を適正に満たしていない。
【発明の概要】
【発明が解決しようとする課題】
【０００９】
本発明の目的は、新規な構造を有する中実の光学コリメータを提案することによって、これらの不具合を是正することである。
【課題を解決するための手段】
【００１０】
このため、本発明は、照明スポット（２）を形成する手術用照明装置であって、複数の照明装置（１）を有する照明ドーム（５）を備える手術用照明装置を提供し、
各照明装置（１）が、切頂(truncated)キャップを備えた中実な光学コリメータを含み、キャップは、全内部反射で動作する内面を有し、
キャップと同軸である円錐台状の貫通凹部の中に開放しており、その中央に光源が配置される小型台を有し、
屈折性の大型台であって、光源によって放射された入射光が内面によってキャップの大型台に向けて全体として案内されるようにした大型台を有し、
前記コリメータの凹部は、前記キャップの前記小型台と一致する、開放した小型台を有するように、前記キャップ内に配置されており、
コリメータは、光源からの光束を、照明ドームの照明軸を中心とする照明スポットに集中させるように配向していることを特徴とする。
【００１１】
詳細には、本発明によれば、
・コリメータの凹部は、前記キャップの大型台の中に開放しており、
・凹部は、キャップの小型台と一致する、開放した小型台を有する円錐台状の第１凹部と、第１凹部の下方にある第２同軸凹部とを含み、２つの凹部間において、環状肩部が入射光のためのスクリーンを支えており、
・スクリーンは、光源により近い側で吸収性であり、
・スクリーンは、光源により近い側で拡散性であり、
・スクリーンは、肩部に接着接合しており、
・肩部は、キャップの軸に対して垂直な平らな表面を形成し、
・コリメータは、剛性であり、
・コリメータは、射出成形プラスチックで製作され、
・コリメータは、ポリ（メチルメタクリレート）または「ＰＭＭＡ」で製作され、
・コリメータの支持体が、入射光のための前記スクリーンを固定するための手段を含む。
・光源は、ＬＥＤでもよい。
【００１２】
こうした構成では、コリメータは、軸方向に完全に中空であり、凹部は、貫通凹部であって、部分的に、中実の標準コリメータの切頂コーンに対して上下逆さまの切頂コーンの形態である。この構成では、コリメータは、標準コリメータに通常配置されるレンズの代わりに孔を有する。
【００１３】
この構成では、照明装置において、光源は、コリメータに対して極めて接近して配置してもよい。
【００１４】
コリメータは、光を屈折させる逆さま切頂コーンの壁に対応する第１有用光学界面(interface)を有し、非屈折光は、切頂コーンの大型台側の孔を通って出てきて、コリメータはさらに、全内部反射で動作するコリメータの外部表面の内面に対応した第２有用光学界面を有し、切頂キャップの大型台に対応するコリメータ出口において、光を手術野に向けて屈折させ、照明スポットを形成するための環状の有用光学界面を有する。
【００１５】
この構成では、貫通凹部は、共通の軸上で開放界面と整列した２つの切頂コーンの重ね合わせ、または中心孔であり、これは、スクリーンでマスクでき、直接放射される光が照射野に到達するのを防止できる。こうして照射野の上には干渉ハローが存在しない。
【００１６】
この構成では、小さい照明スポットを形成でき、小さい高さおよびより低い製造コストを有するコリメータが得られる。
【００１７】
手術用照明装置は、上述したような複数の照明装置を有する照明ドームを備える。
【００１８】
この構成では、手術用照明装置の照明ドームは、コンパクトであり、照明ドームが手術野から７０ｃｍ〜１５０ｃｍの範囲の距離にある場合、手術野において４センチメートル（ｃｍ）〜３０ｃｍの範囲の直径を有する小さい照明スポットを発生することが可能になる。
【図面の簡単な説明】
【００１９】
非限定的な例を用いて添付図面を参照して下記の詳細な説明を読めば、本発明はより良く理解でき、他の利点が見えてくる。
【００２０】
【図１】手術室で使用される本発明の手術用照明装置の概略斜視図である。
【図２】本発明のコリメータを含む照明ドームの下面の概略斜視図である。
【図３】先行技術の中実コリメータにおいて光源によって発生した光線の全内部反射および屈折を原理的に示す図である。
【図４】本発明の中実コリメータにおいて光源によって発生した光線の全内部反射および屈折を原理的に示す図である。
【図５】本発明の中実コリメータの概略輪郭図である。
【発明を実施するための形態】
【００２１】
図１は、手術室で使用され、手術野３、例えば、執刀医４によって手術される患者の身体の上に小さいサイズの照明スポット２を形成する本発明の手術用照明装置を示す。
【００２２】
本例において、照明装置１は、多関節サスペンションアーム６を介して手術室の天井から懸架されるタイプの照明ドーム５を有する。
【００２３】
図１に概略的に示すように、本例において、照明ドーム５は、それぞれ個々の照明モジュールＭを形成する複数のセグメントを有する。
【００２４】
各照明モジュール、例えば、Ｍ１，Ｍ２は、複数のコリメータの個々の１つと関連した複数の光源を設けることができ、コリメータは、光源からの光束を、照明ドーム５の照明軸ＡＡを中心とする照明スポット２に集中させるように配向している。
【００２５】
照明スポット２は、典型的には、照明ドーム５から０．７メートル（ｍ）〜１．５ｍの範囲に位置する。
【００２６】
一般に、照明スポット２は、数センチメートル〜数十センチメートルの範囲の直径を有してもよい。
【００２７】
本例において、異なるモジュールＭ１，Ｍ２での光源は、監視および制御ユニット（不図示）に接続された１つ以上の電源ユニット（不図示）によって、電気が選択的かつ個別的に供給される。種々の光源は、異なる可変の電流Ｉで供給できる。
【００２８】
図２は、下方から見た照明ドーム５の一例を示し、複数のモジュールＭから来るコリメータプロファイル６，６’を見ることができる。
【００２９】
図３は、先行技術の中実の標準コリメータ６を示す。標準コリメータは、全内部反射で動作する内面１０を有する切頂(truncated)キャップの形態である。切頂キャップは、小型台および大型台を有する。小型台において、キャップは、キャップと同軸である円錐台状の第１凹部７を有し、切頂コーン７の大型台は、開放しており、キャップの小型台と一致している。円錐台状の凹部７の小型台は閉じている。切頂コーン７の２つの内面および切頂コーン７の小型台は、キャップの先端のレベルにおいて切頂コーン７の開口の上方に配置された光源８によって放射された入射光ビームを屈折する。
【００３０】
キャップと同軸であって、第１凹部と整列した第２凹部９が、切頂コーン７の下方に配置される。第２凹部９は、レンズなどの光学界面を有し、受けた光ビームを手術野３に向けて屈折させる。
【００３１】
内面１０は、受けた光ビームを手術野３に向けて反射する。
【００３２】
既知の方法において、標準コリメータ６は、手術野のあるポイントにおいて、光学界面９によって屈折した光を内面１０によって反射した光と統合して、照明スポット２を形成する。
【００３３】
図４は、本発明のコリメータ６’を示す。本発明のコリメータ６’は、本例では、全内部反射で動作する内面１０’を有する切頂キャップの形態である。このキャップは、小型台１１’と大型台１２’との間の軸方向ＸＸ’に延びている。
【００３４】
光源８’、例えば、ＬＥＤが、切頂キャップの小型台１１’に対して中央に配置される。コリメータ６’は、光ビームを大型台１２’に向けて案内する。
【００３５】
小型台１１’は、貫通凹部７’の中に開放している。この凹部は、キャップに対して軸方向に配置された切頂コーンの形状を有し、キャップの小型台１１’と一致する、開放した小型台と、キャップの大型台１２’に面する大型台とを備える。
【００３６】
凹部７’の壁によって形成される光学界面は、光源８’によって放射された光をキャップの内面１０’に向けて屈折させる。
【００３７】
本発明によれば、図４と図５に見えるように、凹部は、キャップの小型台１１’と一致する、開放した小型台を有する円錐台状の第１凹部７’と、本例では第２切頂コーンの形態であって、第１凹部の下方に整列して配置された第２凹部とを備える。第１凹部および第２凹部を備えた凹部は貫通凹部であるため、それは、キャップの大型台１２’の中に開放しており、手術野３に面する孔を有する。第１凹部と第２凹部との間には、図５に見えるように、キャップの軸に対して垂直な平らな表面または平面を形成する環状肩部１４’が設けられる。
【００３８】
この肩部１４’にスクリーンを配置して、光ビームが孔を通過するのを防止するようにできる。
【００３９】
スクリーン１３’は、光源８’により近い側で吸収性または拡散性でもよい。例えば、スクリーン１３’は、孔を塞ぐようにして該平面に接着接合されたステッカ(sticker)またはパッチの形態でもよい。スクリーン１３’はまた、いずれか既知の固定手段によって、照明ドーム５の中のコリメータ６’の支持体の中に組み込まれたカバーの形態でもよい。スクリーン１３’は、スナップリベット止めでもよい。スクリーン１３’は、クリップ止めでもよい。
【００４０】
本例において、円錐台状の第１凹部７’だけが光学的に機能性であることに留意すべきである。
【００４１】
共通軸上に整列して配置された２つより多い凹部を有することも可能である。
【００４２】
図５に示すように、貫通凹部に起因して、中実コリメータ６’のキャップの大型台１２’は、光ビームを手術野３に向けて集光し、照明スポット２を形成するように屈折性である環状の光学界面１５’である。
【００４３】
大型台１２’は、平らでもよいが、本発明によれば、凹面または凸面でもよい。特定の条件の下で、大型台１２’はまたマイクロレンズを有する構造を有することができる。
【００４４】
本発明の中実コリメータ６’は、剛性である。
【００４５】
中実コリメータ６’は、図５に部分的に見えるように、射出成形プラスチックで製作される。それは、ＰＭＭＡで製作してもよい。
【００４６】
コリメータ６’はまた、中実プラスチックから直接に加工できる。
【００４７】
上述したように、図３に示すような標準コリメータおよび所定のＬＥＤを用いて、照明スポットを形成するためには、大きい照明スポットを与える標準コリメータに対して、標準コリメータの高さおよび直径を増加させる必要がある。
【００４８】
一例として、所定のＬＥＤを有する光源では、８０％の光学効率で直径２１５ミリメートル（ｍｍ）の照明スポットを形成するためには、標準コリメータは、直径２６ｍｍおよび高さ１４ｍｍを有する必要がある。同じＬＥＤを用いて、７２％の光学効率で直径６３ｍｍの照明スポットを形成するためには、標準コリメータは、直径９２ｍｍおよび高さ５２ｍｍを有する必要がある。従って、既知の方法では、所定のＬＥＤで、照明スポットをより小さくするほど、コリメータの直径および高さを大きくする必要がある。
【００４９】
同じＬＥＤを用いて、７９ｍｍの直径を有する照明スポットを形成するためには、標準コリメータは、８５ｍｍの直径および４８ｍｍの高さを有する必要があり、一方、同じ照明スポットを形成するためには、本発明のコリメータは、７４ｍｍの直径および２６ｍｍの高さを有する。こうして同じ照明スポットを得るためには、本発明のコリメータを使用することによって、コリメータの高さで４６％の節約が可能である。本発明のコリメータを用いて、手術用照明装置の照明ドームの厚さを低減することが可能である。さらに、本発明のコリメータの高さは標準コリメータの高さより小さいため、射出成形プラスチックで製作されるような本発明のコリメータのコストはより低い。
【００５０】
照明装置１において、各照明モジュールＭは、本発明の複数のコリメータ６’の個々の１つと関連した複数の光源８’を設けることができ、コリメータは、光源８’からの光束を、照明ドーム５の照明軸ＡＡを中心とする照明スポット２に集中させるように配向している。
【００５１】
本発明によれば、照明ドーム５が手術野から７０ｃｍ〜１５０ｃｍの範囲の距離にある場合、形成される小さい照明スポットは、４ｃｍ〜３０ｃｍの範囲の直径を有する。
【００５２】
照明ドーム５において、大きい照明スポットを形成するための標準コリメータ６および小さい照明スポットを形成するための本発明のコリメータ６’の混合物を有することが可能である。
【００５３】
本発明によれば、標準コリメータ６に結合されたＬＥＤの電流を、本発明のコリメータ６’に結合されたＬＥＤの電流から分離して制御することによって、照明スポットの直径を調整することが可能である。
【００５４】
照明ドーム５において、直径ｄ１，ｄ２（ｄ１はｄ２とは異なる）の異なる小さい照明スポットを形成するように、本発明のコリメータ６’の混合物を有することも可能であり、必要ならば、標準コリメータ６との組合せで１つの大きい照明スポットを形成することも可能である。
【００５５】
本発明によれば、光源８’は、ＬＥＤ、チップオンボード（ＣＯＢ）ＬＥＤ、蛍光体エレメントと結合したレーザダイオード、カラーマルチチップＬＥＤまたは実際にはＬＥＤマトリクスでもよい。
【００５６】
本発明によれば、光源８’は、コリメータ６’に極めて接近して配置してもよい。軸に近い光線は失われ、光エネルギーの損失を生じさせる。しかしながら、光エネルギーのこの損失は極めて顕著ではなく、その理由は、小さい照明スポットを形成するために、必要とされる光エネルギーがより少ないためである。
【００５７】
当然ながら、本発明は、特定の実施形態の上記説明に限定されることはなく、本発明の範囲を超えることなく変更が可能である。
【図１】
0006559344.tif 000002
【図２】
0006559344.tif 000003
【図３】
0006559344.tif 000004
【図４】
0006559344.tif 000005
【図５】
0006559344.tif 000006